(57)【要約】【解決手段】押圧てこ９は、下刃体２に挿着した支持部８に対し上刃体１と下刃体２との間の内側領域Ｓで回動可能に支持された連結部１１と、その連結部１１に対し回動可能に支持された操作部１０とを有している。押圧てこ９は、連結部１１の回動に伴い、操作部１０が上刃体１の貫通孔５を通って内側領域Ｓに入る不使用状態Ｐと、上刃体１の貫通孔５を通って内側領域Ｓから出る使用状態とを取る。【効果】不使用状態Ｐで押圧てこ９の操作部１０を上下両刃体１，２間の内側領域Ｓに収容することができるので、押圧てこ９が上下両刃体１，２の外側に嵩張りにくくなって爪切りの全体形状をコンパクト化することができる。【選択図】図１
2004166794.tif 000002
【特許請求の範囲】
【請求項１】
押圧てこに設けた押圧部を使用状態で上刃体に係止させ、この押圧てこにより上刃体と下刃体とを相対動させてこの上刃体の刃先と下刃体の刃先とを互いに接近または離間させるようにした爪切りにおいて、前記押圧てこに設けた操作部を前記上刃体と下刃体との間の内側領域に入れて不使用状態にする入口部と、この内側領域から前記押圧てこの操作部を出して前記使用状態にする出口部とを設けたことを特徴とする爪切り。
【請求項２】
前記入口部及び出口部は、上刃体に形成された貫通孔であって、上刃体と下刃体との間の内側領域に連通していることを特徴とする請求項１に記載の爪切り。
【請求項３】
前記押圧てこの操作部は不使用状態で前記上刃体の貫通孔に入り込むことを特徴とする請求項２に記載の爪切り。
【請求項４】
前記押圧てこは、下刃体に設けた支持部に対し上刃体と下刃体との間の内側領域で回動可能に支持される連結部を有し、その回動に伴い、この押圧てこの操作部が前記上刃体の貫通孔を通って前記内側領域に入り、前記上刃体の貫通孔を通って前記内側領域から出ることを特徴とする請求項２または請求項３に記載の爪切り。
【請求項５】
前記下刃体には上刃体と下刃体との間の内側領域に連通する貫通孔が形成され、前記押圧てこの操作部は不使用状態でこの下刃体の貫通孔に入り込むことを特徴とする請求項４に記載の爪切り。
【請求項６】
前記下刃体には、前記押圧てこの操作部との当接によりこの押圧てこの回動を阻止してこの操作部が前記下刃体の貫通孔を通って前記内側領域から出るのを防止するストッパ部が形成されていることを特徴とする請求項５に記載の爪切り。
【請求項７】
前記押圧てこの操作部はこの押圧てこの連結部に対し回動可能に支持され、その回動に伴いこの連結部に対する操作部の向きを前記使用状態と前記不使用状態とで変更し得ることを特徴とする請求項４または請求項５または請求項６に記載の爪切り。
【請求項８】
押圧てこに設けた押圧部を使用状態で上刃体に係止させ、この押圧てこにより上刃体と下刃体とを相対動させてこの上刃体の刃先と下刃体の刃先とを互いに接近または離間させるようにした爪切りにおいて、
前記押圧てこは、下刃体に設けた支持部に対し上刃体と下刃体との間の内側領域で回動可能に支持される連結部と、指を当てがう指当面を設けた操作部とを有し、
この押圧てこの連結部は、上刃体に形成された貫通孔を通って前記内側領域から突出した突出部を有し、前記内側領域の外側で前記操作部はこの連結部の突出部から延び、この突出部と操作部との間の境界部において、この突出部からの操作部の延設方向に対し直交する幅方向でこの操作部の指当面が有する幅寸法よりも、この幅方向でこの連結部の突出部が有する幅寸法を小さく設定した
ことを特徴とする爪切り。
【発明の詳細な説明】
【０００１】
【発明の属する技術分野】
本発明は、押圧てこにより上刃体と下刃体とを相対動させてこの上刃体の刃先と下刃体の刃先とを互いに接近または離間させるようにした爪切りに関するものである。
【０００２】
【従来の技術】
従来、下記特許文献１の第１６，１７図に示す爪切りが一般的に知られている。この爪切りにおいては、上部刃体１と下部刃体２とをその基端側で互いに固着して各々に離間する方向へ弾性を持たせ、上下両刃体１，２の先端側に形成した上下両切刃７，８の近傍にて上下両刃体１，２間にピン９を挿嵌し、上部刃体１の外側上で押杆１３をピン９に対し回動可能に支軸１２により支持している。しかし、この爪切りの押杆１３は第１７図に示す不使用時において上部刃体１の外側上に重ねられるので、爪切りの全体形状のコンパクト化という点で問題があった。また、押杆１３を支持する支軸１２が上部刃体１の外側上にあるので、押杆１３の全体形状のコンパクト化という点でも問題があった。
【０００３】
そこで、下記特許文献１のほかにも、下記特許文献２〜５等にかかる爪切りが種々開示されている。
【０００４】
【特許文献１】
特公昭６３−１８４８３号公報
【特許文献２】
実公昭５４−４１８２３号公報
【特許文献３】
実公昭５５−５４９６９号公報
【特許文献４】
実開平１−１４９７０５号公報
【特許文献５】
特公平６−１８５２７号公報
【０００５】
【発明が解決しようとする課題】
上記特許文献１〜５では、押圧てこ（特許文献１の押杆１３や特許文献２のてこ杆７や特許文献３のてこ体７や特許文献４の押圧操作てこ１３や特許文献５の押圧操作てこ１５）の支持構造など、種々の改良がなされている。しかし、不使用時にこれらの押圧てこが依然として上下両刃体１，２の外側に重ねられるので、爪切りの全体形状のコンパクト化が不十分である。また、これらの押圧てこの全体形状のコンパクト化が依然として不十分であり、それが爪切りの全体形状のコンパクト化にも悪影響を及ぼしている。
【０００６】
この発明は、爪切りの全体形状のコンパクト化や押圧てこの全体形状のコンパクト化をより一層図ることを目的としている。
【０００７】
【課題を解決するための手段及び発明の効果】
後記実施形態の図面（図１〜３）の符号を援用して本発明を説明する。
＊  請求項１の発明
この発明にかかる爪切りは、下記のように構成されている。
【０００８】
この爪切りにおいては、押圧てこ（９）に設けた押圧部（１９）を使用状態（Ｒ）で上刃体（１）に係止させ、この押圧てこ（９）により上刃体（１）と下刃体（２）とを相対動させてこの上刃体（１）の刃先（３）と下刃体（２）の刃先（４）とを互いに接近または離間させるようにしている。前記押圧てこ（９）に設けた操作部（１０）を前記上刃体（１）と下刃体（２）との間の内側領域（Ｓ）に入れて不使用状態（Ｐ）にする入口部（５）と、この内側領域（Ｓ）から前記押圧てこ（９）の操作部（１０）を出して前記使用状態（Ｒ）にする出口部（５）とを設けている。
【０００９】
この発明では、不使用状態（Ｐ）で押圧てこ（９）の操作部（１０）を上下両刃体（１，２）間の内側領域（Ｓ）に収容することができるので、押圧てこ（９）が上下両刃体（１，２）の外側に嵩張りにくくなって爪切りの全体形状をコンパクト化することができる。
【００１０】
＊  請求項２の発明
この発明は、請求項１の発明を前提として下記のように構成されている。
前記入口部及び出口部は、上刃体（１）に形成された貫通孔（５）であって、上刃体（１）と下刃体（２）との間の内側領域（Ｓ）に連通している。この発明では、上下両刃体（１，２）間の内側領域（Ｓ）に対する押圧てこ（９）の出入構造を簡単にすることができる。
【００１１】
＊  請求項３の発明
この発明は、請求項２の発明を前提として下記のように構成されている。
前記押圧てこ（９）の操作部（１０）は不使用状態（Ｐ）で前記上刃体（１）の貫通孔（５）に入り込む。この発明では、上下両刃体（１，２）間の内側領域（Ｓ）を小さくして爪切りの全体形状をコンパクト化することができるとともに、不使用状態（Ｐ）で押圧てこ（９）の操作部（１０）を上下両刃体（１，２）間の内側領域（Ｓ）から出し易くすることができる。例えば、不使用状態（Ｐ）で操作部（１０）の一部を貫通孔（５）に入り込ませた状態でさらに貫通孔（５）の外側へ突出させれば、上刃体（１）の外側で操作部（１０）を掴むことにより、操作部（１０）を内側領域（Ｓ）からより一層出し易くすることができる。
【００１２】
＊  請求項４の発明
この発明は、請求項２または請求項３の発明を前提として下記のように構成されている。
【００１３】
前記押圧てこ（９）は、例えば上刃体（１）の上方外側にあり、下刃体（２）に設けた支持部（６，８）に対し上刃体（１）と下刃体（２）との間の内側領域（Ｓ）で回動可能に支持される連結部（１１）を有し、その回動に伴い、この押圧てこ（９）の操作部（１０）が前記上刃体（１）の貫通孔（５）を通って前記内側領域（Ｓ）に入り、前記上刃体（１）の貫通孔（５）を通って前記内側領域（Ｓ）から出る。この発明では、下刃体（２）の支持部（６，８）に対し押圧てこ（９）の連結部（１１）が上下両刃体（１，２）間の内側領域（Ｓ）で支持されているので、爪切りの全体形状をコンパクト化することができる。
【００１４】
＊  請求項５の発明
この発明は、請求項４の発明を前提として下記のように構成されている。
前記下刃体（２）には上刃体（１）と下刃体（２）との間の内側領域（Ｓ）に連通する貫通孔（７）が形成され、前記押圧てこ（９）の操作部（１０）は不使用状態（Ｐ）でこの下刃体（２）の貫通孔（７）に入り込む。この発明では、上下両刃体（１，２）間の内側領域（Ｓ）を小さくして爪切りの全体形状をコンパクト化することができる。例えば、不使用状態（Ｐ）で操作部（１０）の一部を貫通孔（７）に入り込ませた状態でさらに貫通孔（７）の外側へ突出させれば、下刃体（２）の外側から操作部（１０）を押し上げることにより、操作部（１０）を内側領域（Ｓ）から上刃体（１）の貫通孔（５）を通して出すことができる。
【００１５】
＊  請求項６の発明
この発明は、請求項５の発明を前提として下記のように構成されている。
前記下刃体（２）には、前記押圧てこ（９）の操作部（１０）との当接によりこの押圧てこ（９）の回動を阻止してこの操作部（１０）が前記下刃体（２）の貫通孔（７）を通って前記内側領域（Ｓ）から出るのを防止するストッパ部（２０）が形成されている。この発明では、下刃体（２）に貫通孔（７）を形成したにもかかわらず、押圧てこ（９）の操作部（１０）を上刃体（１）の貫通孔（５）からのみ出入させることができる。
【００１６】
＊  請求項７の発明
この発明は、請求項４または請求項５または請求項６の発明を前提として下記のように構成されている。
【００１７】
前記押圧てこ（９）の操作部（１０）はこの押圧てこ（９）の連結部（１１）に対し回動可能に支持され、その回動に伴いこの連結部（１１）に対する操作部（１０）の向きを前記使用状態（Ｒ）と前記不使用状態（Ｐ）とで変更し得る。この発明では、使用状態（Ｒ）で操作部（１０）を操作し易くするとともに、上下両刃体（１，２）間の内側領域（Ｓ）に対する操作部（１０）の出入を行い易くすることができる。
【００１８】
＊  請求項８の発明
この発明にかかる爪切りは、下記のように構成されている。
この爪切りにおいては、押圧てこ（９）に設けた押圧部（１９）を使用状態（Ｒ）で上刃体（１）に係止させ、この押圧てこ（９）により上刃体（１）と下刃体（２）とを相対動させてこの上刃体（１）の刃先（３）と下刃体（２）の刃先（４）とを互いに接近または離間させるようにしている。前記押圧てこ（９）は、下刃体（２）に設けた支持部（６，８）に対し上刃体（１）と下刃体（２）との間の内側領域（Ｓ）で回動可能に支持される連結部（１１）と、指を当てがう指当面（１２）を設けた操作部（１０）とを有している。この押圧てこ（９）の連結部（１１）は、上刃体（１）に形成された貫通孔（５）を通って前記内側領域（Ｓ）から突出した突出部（１５）を有し、前記内側領域（Ｓ）の外側で前記操作部（１０）はこの連結部（１１）の突出部（１５）から延び、この突出部（１５）と操作部（１０）との間の境界部（１８）において、この突出部（１５）からの操作部（１０）の延設方向（Ａ）に対し直交する幅方向（Ｂ）でこの操作部（１０）の指当面（１２）が有する幅寸法（Ｗ１２）よりも、この幅方向（Ｂ）でこの連結部（１１）の突出部（１５）が有する幅寸法（Ｗ１５）を小さく設定した。
【００１９】
この発明では、操作部（１０）の指当面（１２）を大きくして操作し易くしても、連結部（１１）の突出部（１５）を小さくして押圧てこ（９）の全体形状をコンパクト化することにより、その突出部（１５）が通る上刃体（１）の貫通孔（５）を小さくして爪切りの全体形状をコンパクト化することができる。
【００２０】
【発明の実施の形態】
以下、本発明の一実施形態にかかる爪切りについて図面を参照して説明する。上刃体１と下刃体２とは、それらの基端部１ａ，２ａ（後端部）で固着されて上下両側で互いに並べられ、それらの先端部（前端部）で相対向して形成された刃先３，４が互いに接近離間する上下方向Ｚの弾性を有している。この上刃体１と下刃体２とは前後方向Ｘの中央で上下方向Ｚへ互いに離間するように膨らみ、それらの間には内側領域Ｓが形成され、この内側領域Ｓは左右方向Ｙの両側へ開放されている。この上刃体１には前記内側領域Ｓに連通する細長い帯状の貫通孔５（入口部、出口部）が上刃先３の近傍から基端部１ａの近傍にわたり前後方向Ｘへ延設されている。この下刃体２には、下刃先４の近傍で前記内側領域Ｓに連通する支持孔６（支持部）が貫設されているとともに、前記内側領域Ｓに連通する細長い帯状の貫通孔７がこの支持孔６の近傍から基端部２ａの近傍にわたり前後方向Ｘへ延設されている。この下刃体２の支持孔６には二股状の支持部８が下刃体２の下側から挿入されてこの支持部８の頭部８ａが下刃体２の下側に係止されている。この支持孔６及び支持部８に代えて、下刃体２にブラケット（支持部）を一体的に設けてもよい。
【００２１】
押圧てこ９は、板状の操作部１０と、この操作部１０を前記下刃体２の支持部８に連結する連結部１１とからなる。この操作部１０は表裏両側の指当面１２間で基端部から先端部にわたり透孔１３を有している。この透孔１３は省略してもよい。この連結部１１は、前記内側領域Ｓで前記下刃体２の支持部８に対し支軸１４により連結されて上下方向Ｚへ回動可能に支持され、この支持部８から延びる突出部１５を有している。この操作部１０の基端部には軸支孔１６が形成されて透孔１３に貫通されている。この突出部１５の先端側から延設された軸支部１７がこの操作部１０の軸支孔１６に挿入されてかしめられた係止頭部１７ａにより操作部１０の基端部に係止され、操作部１０が連結部１１の軸線１１ａを中心に回動可能に支持されている。この係止頭部１７ａに代えて、前記軸支部１７とは別々に設けた係止頭部をこの軸支部１７に対し挿着してもよい。前記連結部１１の突出部１５と操作部１０の基端部との間の境界部１８は、この突出部１５からの操作部１０の延設方向Ａに対し直交する幅方向Ｂの両側で、段差状をなしている。この境界部１８において、この幅方向Ｂの両側で操作部１０には使用時に上刃体１に係止される押圧部１９が突設され、この幅方向Ｂで操作部１０の指当面１２が有する幅寸法Ｗ１２よりも、この幅方向Ｂで連結部１１の突出部１５が有する幅寸法Ｗ１５が小さく設定されている。操作部１０の先端部には爪の汚れを取るための舌片部２０（ストッパ部）が突設されている。前記両押圧部１９に代えて、上刃体１または押圧てこ９には使用時に上刃体１に係止される押圧部を移動可能に設けてもよい。
【００２２】
図１（ａ）（ｂ）（ｃ）に示す不使用状態Ｐにおいては、押圧てこ９の操作部１０及び連結部１１が上下両刃体１，２間の内側領域Ｓに入れられている。この操作部１０の指当面１２は左右方向Ｙを向き、この操作部１０の上側の一部分が上刃体１の貫通孔５に入り込んだ状態でさらに貫通孔５の外側へ若干突出しているとともに、この操作部１０の下側の一部分が下刃体２の貫通孔７に入り込んだ状態でさらに貫通孔７の外側へ若干突出している。この操作部１０の舌片部２０が貫通孔７の後端部７ａに当接し得るため、操作部１０が貫通孔７を通って内側領域Ｓから出るのを防止する。
【００２３】
前記不使用状態Ｐにおいて操作部１０の上側の一部分を掴んで押圧てこ９を内側領域Ｓから上方へ引き出すか、または操作部１０の下側の一部分を押し上げると、押圧てこ９は支持部８で支軸１４を中心に上方へ回動して図２（ａ）に示す途中状態Ｑとなる。この途中状態Ｑでは、連結部１１の突出部１５が上刃体１の貫通孔５を通って内側領域Ｓから上刃体１の上方へ突出するとともに、操作部１０がこの突出部１５から上刃体１の上方へ斜めに延びる。
【００２４】
この途中状態Ｑにおいて、操作部１０を連結部１１の軸支部１７を中心に回動させると、この操作部１０の指当面１２が上下方向Ｚを向き、押圧てこ９が図２（ｂ）及び図３（ａ）（ｂ）に示す使用状態Ｒとなる。この使用状態Ｒにおいて、押圧てこ９を下方へ押すと、操作部１０の両押圧部１９が貫通孔５の前端部両側で上刃体１に係止され、上刃体１がその弾性力に抗して下刃体２に向けて下動し、上刃先３と下刃先４とが互いに接近する。また、押圧てこ９に対する押圧力を解除すると、上刃体１がその弾性力により下刃体２から上動し、上刃先３と下刃先４とが互いに離間する。
【００２５】
前記使用状態Ｒにおいて、操作部１０を連結部１１の軸支部１７を中心に回動させると、この操作部１０の指当面１２が左右方向Ｙを向き、押圧てこ９が前記途中状態Ｑとなる。この途中状態Ｑにおいて、操作部１０の上側を下方へ押すと、押圧てこ９が支持部８で支軸１４を中心に下方へ回動し、連結部１１の突出部１５及び操作部１０が上刃体１の貫通孔５を通って内側領域Ｓへ入り、押圧てこ９が前記不使用状態Ｐとなる。
【００２６】
前記実施形態では、押圧てこ９の連結部１１が下刃体２側の支持部８に対し上刃体１と下刃体２との間の内側領域Ｓで回動可能に支持されている。この構成に代えて、下刃体２側の支持部８を上刃体１の上方外側へ突出させ、その支持部８の突出部分に対し押圧てこ９の連結部１１を回動可能に支持してもよい。その場合も、押圧てこ９の連結部１１の回動に伴い、押圧てこ９の操作部１０が上刃体１の貫通孔５を通って内側領域Ｓに入り、上刃体１の貫通孔５を通って内側領域Ｓから出る。
【図面の簡単な説明】
【図１】（ａ）は本実施形態にかかる爪切りの不使用状態を示す側面図であり、（ｂ）は同じく平面図であり、（ｃ）はこの爪切りを側面側から見た一部切欠き断面図である。
【図２】（ａ）は本実施形態にかかる爪切りの不使用状態と使用状態との間の途中状態を示す側面図であり、（ｂ）は本実施形態にかかる爪切りの使用状態を側面側から見た一部切欠き断面図である。
【図３】（ａ）は本実施形態にかかる爪切りの使用状態を示す側面図であり、（ｂ）は同じく平面図であり、（ｃ）は（ａ）のＥ矢視部分拡大図である。
【符号の説明】
１…上刃体、２…下刃体、３…上刃先、４…下刃先、５…貫通孔、６…支持孔（支持部）、７…貫通孔、８…支持部、９…押圧てこ、１０…操作部、１１…連結部、１２…指当面、１５…突出部、１８…境界部、１９…押圧部、２０…舌片部（ストッパ部）、Ｓ…内側領域、Ｐ…不使用状態、Ｒ…使用状態、Ａ…延設方向、Ｂ…幅方向、Ｗ１２…幅寸法、Ｗ…幅寸法。
【図１】
2004166794.tif 000003
【図２】
2004166794.tif 000004
【図３】
2004166794.tif 000005